(57)【特許請求の範囲】
【請求項１】
原稿の搬送路中に設けられた透過性部材と、
前記透過性部材上に原稿を送り込む原稿送り手段と、
前記原稿送り手段によって送り込まれ、前記透過性部材上を通過する原稿の画像を前記透過性部材を透して読み取る読取手段と、
少なくとも前記読取手段による読取位置の上方において通過中の原稿を前記透過性部材の上面に対して所定の間隙をもってほぼ平行となるように規制する原稿規制手段とを備え、
前記原稿規制手段は、
前記所定の間隔に対応する厚みを有して前記透過性部材上の前記読取位置の上流側と下流側とに設けられた一対の段差部材と、
前記一対の段差部材の各々に対して原稿を押さえつけ、かつ当該原稿に搬送力を付与する一対のローラとを有する
ことを特徴とする原稿読取装置。
【請求項２】
前記一対の段差部材は、各上面が略同一面となっている
ことを特徴とする請求項１記載の原稿読取装置。
【請求項３】
前記一対の段差部材のうち、前記読取位置の下流側に位置する段差部材は、その上流側の端面が上流側から下流側に向かって徐々に上昇するテーパー形状となっている
ことを特徴とする請求項１記載の原稿読取装置。
【請求項４】
前記一対のローラは原稿との間の摩擦係数が、前記段差部材と原稿との間の摩擦係数よりも大きくなるように設定されている
ことを特徴とする請求項１記載の原稿読取装置。
【発明の詳細な説明】
【０００１】
【発明の属する技術分野】
本発明は、複写機やファクシミリ装置等の画像処理装置の画像入力部として用いて好適な原稿読取装置に関し、特に原稿を移動させながらその画像を読み取る方式の原稿読取装置に関する。
【０００２】
【従来の技術】
複写機やファクシミリ装置等の画像処理装置においてその画像入力部に用いられる原稿読取装置としては、原稿を固定する一方、読取部を移動させながらその原稿画像を読み取る方式のものと、読取部を固定する一方、原稿を移動させながらその原稿画像を読み取る方式のものとがある。そして、一般的には、前者の方式はプラテン方式と呼ばれ、後者の方式はＣＶＴ(Constant Velocity Transport)方式と呼ばれている。
【０００３】
プラテン方式原稿読取装置は、例えば、原稿が載置されるプラテンガラスと、このプラテンガラスの上側に開閉自在に取り付けられたプラテンカバーと、プラテンガラスの下側に移動可能に設けられた照明ランプと、多数の光電変換素子が配列されてなる読取センサと、照明ランプの照明光に基づく原稿からの反射光を読取センサの読取面に導くミラー等の光学素子とを有し、照明ランプを移動させながら固定状態にある原稿の画像を読取センサで読み取る構成となっている。
【０００４】
一方、ＣＶＴ方式原稿読取装置は、例えば、原稿が載置される原稿載置トレイと、原稿が排出される原稿排出トレイと、原稿載置トレイから原稿排出トレイまで原稿を１枚ずつ搬送する原稿搬送路と、この原稿搬送路に沿って配設された読取ガラスと、この読取ガラスの原稿搬送路と反対側に配設された照明ランプと、この照明ランプと並設された読取センサとを有し、原稿を移動させながらその画像を固定状態にある読取センサで読み取る構成となっている。
【０００５】
以下、上記各方式の原稿読取装置で読み取った画像を読取画像と呼ぶこととする。なお、これらの原稿読取装置では、原稿画像を確実に読み取るためには、原稿からの反射光が読取センサの読取面上に結像するように、固定状態にある原稿または移動する原稿の原稿面を読取センサの焦点位置に合致させる必要がある。そのための基準板として、上記プラテンガラスや読取ガラスが機能している。以下の説明において、読取ガラスなどの原稿搬送路側の面であって、かつ、照明ランプの照射光や原稿からの反射光が透過する部位を、読取ガラスなどの読取面と呼ぶこととする。
【０００６】
ところで、上記各方式の原稿読取装置では、修正液やボールペンのインク等が未定着のまま原稿がセットされ、読取起動がかけられてしまった場合には、当該未定着材料が読取ガラス等の読取面に付着してしまう。この状態では、読取面に付着した未定着材料によって読取光が遮られてしまうので、読取画像に黒点や白抜けが発生してしまう。
【０００７】
特に、ＣＶＴ方式の原稿読取装置では、読取面に未定着材料が付着してしまうと、それに対応する部位の画像を副走査方向に沿って読み取ることができなくなってしまう。その結果、黒筋や線状の像抜けが発生してしまうので、未定着材料の読取面への付着に起因する読取画像の劣化は無視することができない。また、特にＣＶＴ方式の原稿読取装置では、原稿を固定せずに移動させながらその画像を読み取っているので、原稿面と読取センサの焦点位置との相互の位置関係を十分に安定させることができなかったり、あるいは焦点位置における原稿の送り速度を十分に安定させることができなかったりして、原稿画像を十分な画質で読み取ることができなかった。なお、これらの問題は、例えば、原稿の汚れに起因して発生するものである。
【０００８】
上述した未定着材料の読取面への付着に起因する読取画像の劣化を防止するために、図８に示すように、原稿読取位置Ｒの上流側に段差形成部材１０１を配設することで、照明ランプ（図示せず）からの読取光あるいは原稿Ｐｓからの反射光が透過する読取基準部材１０２の原稿読取面に原稿Ｐsを接触させないようにした構成の原稿読取装置が本出願人によって提案されている（特開平９−３０７６９５号公報参照）。
【０００９】
【発明が解決しようとする課題】
上記構成の従来例に係る原稿読取装置では、原稿読取面に原稿Ｐsを接触させないためには、段差形成部材１０１の原稿読取面からの高さをある程度確保しなくてはならない。しかしながら、その高さが高すぎると、原稿Ｐsが段差形成部材１０１を通り抜ける際に、段差形成部材１０１の存在によってある程度湾曲した状態にある原稿Ｐsが元に戻ろうとする力の作用により、瞬時に原稿Ｐsの後端部が段差形成部材１０１の高さ分だけ原稿読取面上に落下する。
【００１０】
そして、それが原因となって読取画像に乱れが生じたり、あるいは読取光学系の焦点距離が変化することによって倍率が変化してしまう。特に、近年、需要が大きく伸びている高速カラー原稿読取装置の場合には、読取光学系の焦点距離の変化が読取画像の画質を大きく左右することになる。さらには、原稿Ｐsの後端部が読取面へ接触するため、先述した未定着材料等の異物が原稿の後端部に付着していると、その異物が読取面に付着してしまう懸念もある。
【００１１】
本発明は、上記課題に鑑みてなされたものであり、その目的とするところは、原稿の未定着材料で読取面を汚すことなく、しかも読取画像に乱れを生じたり、読取光学系の焦点距離を変化させたりすることなく原稿画像を読み取ることが可能な原稿読取装置を提供することにある。
【００１２】
【課題を解決するための手段】
本発明による原稿読取装置は、原稿の搬送路中に設けられた透過性部材と、この透過性部材上に原稿を送り込む原稿送り手段と、この原稿送り手段によって送り込まれ、透過性部材上を通過する原稿の画像を当該透過性部材を透して読み取る読取手段と、少なくとも読取手段による読取位置の上方において通過中の原稿を透過性部材の上面に対して所定の間隙をもってほぼ平行となるように規制する原稿規制手段とを備え、当該原稿規制手段が、前記所定の間隔に対応する厚みを有して前記透過性部材上の前記読取位置の上流側と下流側とに設けられた一対の段差部材と、前記一対の段差部材の各々に対して原稿を押さえつけ、かつ当該原稿に搬送力を付与する一対のローラとを有する構成となっている。
【００１３】
上記構成の原稿読取装置において、原稿送り手段によって透過性部材上に送り込まれた原稿は、原稿規制手段によって少なくとも読取位置の上方で透過性部材の上面、即ち読取基準面に接触しないように、しかも当該読取基準面とほぼ平行となるように、その走行状態が規制される。これにより、修正液やボールペンのインク等が未定着のまま原稿がセットされ、読取起動がかけられても、当該未定着材料で読取基準面を汚すことがない。そして、原稿の高さを規制する手段として、一対の段差部材を用いるとともに、これら段差部材に対して原稿を押さえつける手段として一対のローラを用いることで、原稿を確実に読取基準面とほぼ平行になるように規制できるとともに、一対のローラが原稿送り手段としての機能を併せ持つことによって良好な原稿走行性を確保できる。
【００１４】
【発明の実施の形態】
以下、本発明の実施の形態について図面を参照して詳細に説明する。図１は、本発明に係る原稿読取装置を画像入力部として搭載した画像処理装置、例えばデジタル複写機の構成例を示す概略構成図である。なお、本発明に係る原稿読取装置は、デジタル複写機の画像入力部への適用に限られるものではなく、ファクシミリ装置等の画像処理装置における画像入力部全般に対して適用可能である。
【００１５】
図１に示すように、本適用例に係るデジタル複写機は、原稿Ｐｓの画像をプラテン方式あるいはＣＶＴ方式で読み取る原稿読取部１０と、この原稿読取部１０から出力される画像情報を処理する画像処理部２０と、この画像処理部２０で処理された画像情報に基づいて記録用紙Ｐｏに画像を形成する画像形成部３０とを有する構成となっている。このデジタル複写機において、本発明では、上記原稿読取部１０におけるＣＶＴ方式の読取部の具体的な構成を特徴としている。その詳細については後述する。
【００１６】
原稿読取部１０は、複写機本体内に設けられて原稿Ｐｓの画像を読み取る読取光学系と、複写機本体の上面に対して開閉可能に配設された自動原稿送り部とから構成されている。
【００１７】
先ず、読取光学系の具体的な構成について説明する。当該読取光学系は、複写機本体の上面に配設されたプラテンガラス１１と、このプラテンガラス１１の一端側に設けられた読取ガラス１２と、この読取ガラス１２の下をホームポジションとし、プラテンガラス１１の他端まで移動可能に設けられた第一キャリッジ１３と、この第一キャリッジ１３と連動して移動する第二キャリッジ１４と、第一キャリッジ１３のホームポジションの下方に配設されたＣＣＤラインセンサ等の読取センサ１５とを有する構成となっている。
【００１８】
第一キャリッジ１３には、照明ランプ１３Ａおよびこの照明ランプ１３Ａからの照明光を原稿Ｐｓの原稿面に照射する反射板１３Ｂ、さらにはその照射光に基づく原稿Ｐｓからの反射光をプラテンガラス１１に対して平行な方向に反射する第一ミラー１３Ｃが搭載されている。第二キャリッジ１４には、第一ミラー１３Ｃからの反射光の光路を変更して読取センサ１５の受光面に入射させる第二、第三ミラー１４Ａ，１４Ｂが搭載されている。
【００１９】
続いて、自動原稿送り部の具体的な構成について説明する。当該自動原稿送り部は、複写機本体に対して開閉自在に取り付けられたフレーム１６と、このフレーム１６のプラテンガラス１１と対向する位置に配設された表面が白色のプラテンガラスカバー１７と、フレーム１６の上面側に配設され、原稿Ｐｓを複数枚載置可能な原稿載置トレイ１８と、この原稿載置トレイ１８上の原稿Ｐｓを１枚ずつ捌きながら搬入し、読取ガラス１２上を通過させた後フレーム１６の上面上に排出する原稿送り部１９とを有する構成となっている。
【００２０】
原稿送り部１９は、原稿載置トレイ１８から原稿Ｐｓを引き込むピックアップロール２１と、このピックアップロール２１によって引き込まれた原稿Ｐｓを読取ガラス１２上に送り込むレジロール２２と、このレジロール２２と読取ガラス１２との間に位置する上流側シュート２３と、読取ガラス１２上を通過した原稿Ｐｓをフレーム１６上に排出する排出ロール２４と、読取ガラス１２と排出ロール２４との間に位置する下流側シュート２５とから構成されている。
【００２１】
上記構成の原稿読取部１０において、プラテンガラス１１上に原稿Ｐｓが載置された場合には、先述した読取光学系が副走査方向（図１の左右方向）に移動しつつ原稿Ｐｓの画像を読み取る動作を行う一方、原稿載置トレイ１８に原稿Ｐｓが載置された場合には、上述した原稿送り部１９によって読取ガラス１２上に原稿Ｐｓを送り込みつつ、その画像をホームポジションにある読取光学系によって読み取る動作が行われる。以下において、前者の読取モードをプラテンモードと呼び、後者の読取モードをＣＶＴモードと呼ぶ。
【００２２】
プラテンモードでは、原稿読取部１０は、読取光学系における照明ランプ１３Ａおよび読取センサ１５を作動させた上で２つのキャリッジ１３，１４を移動させることで、プラテンガラス１１上の原稿Ｐｓを照明ランプ１３からの照明光で走査するとともに、当該照明光に基づく原稿Ｐｓからの反射光を第一乃至第３ミラー１３Ｃ，１４Ａ，１４Ｂを経由して読取センサ１５の受光面に入射させる。その結果、原稿Ｐｓの画像の読み取りが行われ、読取センサ１５からその画像情報が出力される。
【００２３】
ＣＶＴモードでは、原稿読取部１０は、読取光学系における照明ランプ１３Ａおよび読取センサ１５を作動させた上で原稿送り部１９を作動させることで、原稿載置トレイ１８上の原稿Ｐｓを読取ガラス１２に送り込み、当該読取ガラス１２上を通過させた後フレーム１６上に排出する。そして、原稿Ｐｓが読取ガラス１２上を通過する際に、読取ガラス１２の下方に位置する照明ランプ１３からの照明光に基づく原稿Ｐｓからの反射光をミラー１３Ｃ，１４Ａ，１４Ｂを経由して読取センサ１５の受光面に入射させる。その結果、原稿Ｐｓの画像の読み取りが行われ、読取センサ１５からその画像情報が出力される。
【００２４】
原稿読取部１０での画像読取動作によって読取センサ１５から出力される画像情報は、画像処理部２０で所定の画像処理が行われた後、画像形成部３０に供給される。
【００２５】
画像形成部３０は、多数の記録紙Ｐｏを収容する記録紙収容トレイ３１と、画像処理部２０を経た画像情報に応じたトナー像を記録紙Ｐｏに転写するトナー像転写部３２と、このトナー像転写部３２によって転写されたトナー像を記録紙Ｐｏに定着させる定着器３３と、画像形成後の記録紙Ｐｏを収容する記録紙排出トレイ３４と、記録紙収容トレイ３１からトナー像転写部３２および定着器３３を経由して記録紙排出トレイ３４まで記録紙Ｐｏを搬送する記録紙搬送路３５とを有する構成となっている。
【００２６】
上記構成の画像形成部３０において、トナー像転写部３２は、記録紙搬送路３５に対向して開閉可能に配設された感光体ドラム３６を有し、この感光体ドラム３６を一様帯電コロトロン３７で一様な電位に帯電し、レーザ露光部３８で画像処理部２０からの画像情報に応じて感光体ドラム３６を露光して静電潜像を形成し、現像器３９で当該静電潜像を現像してトナー像を形成し、このトナー像を転写コロトロン４０で記録紙Ｐｏに転写することにより、画像処理部２０からの画像情報に応じたトナー像を記録紙Ｐｏに形成する。
【００２７】
そして、画像形成部３０において、トナー像が転写された記録紙Ｐｏは、記録紙搬送路３５を通して定着器３３に送られる。定着器３３は、記録紙Ｐｓに転写されたトナー像を当該記録紙Ｐｏに定着させる。以上により、原稿Ｐｓの画像がそのまま記録紙Ｐｏに形成される。画像が形成された記録紙Ｐｏは、記録紙排出トレイ３４に排出される。
【００２８】
次に、本発明の特徴部分である原稿読取部１０、即ちＣＶＴ方式の読取部の構成について説明する。図２は、原稿読取部１０の要部、具体的には図１の読取ガラス１２の周辺部を示す構成図であり、図中、図１と同等部分には同一符号を付して示している。
【００２９】
図２において、読取ガラス１２はその上面が原稿Ｐｓの読取基準面Ｓとなる。また、読取ガラス１２のほぼ中心部が読取位置Ｒ、即ち図１の照明ランプ１３Ａからの照明光に基づく原稿Ｐｓからの反射光（読取光）の光軸位置となる。ここで、読取基準面Ｓを持つ部材は、ガラス部材に限られるものではなく、透過性部材（透明または半透明の部材）であれば良い。読取ガラス１２上には、原稿載置トレイ１８から原稿送り部１９によって原稿Ｐｓが上流側シュート２３を通して送り込まれる。この送り込まれた原稿Ｐｓは、読取ガラス１２の読取位置Ｒ上を通過し、下流側シュート２５を通して排出される。
【００３０】
読取ガラス１２の上面には、読取位置Ｒの上流側の端部に段差部材５１が、下流側の端部に段差部材５２が、読取位置Ｒを回避した状態でそれぞれ配置されている。これら段差部材５１，５２は、プラスチック等によって原稿Ｐｓの最大幅に対応した長さに、しかも双方の上面が略同一面になるように形成されている。また、下流側の段差部材５２は、その上流側の端面５２Ａが上流側から下流側に向かって徐々に上昇するテーパー形状となっている。
【００３１】
段差部材５１，５２上には、通過する原稿Ｐｓが浮き上がらないように段差部材５１，５２に対して原稿Ｐｓを押さえつける原稿押さえ部材として、ローラ５３，５４が配置されている。これらローラ５３，５４は、段差部材５１，５２の上面との間に所定の隙間、好ましくは０．３ｍｍ程度の隙間をもって軸５５，５６を中心に回転自在に設けられている。ここで、ローラ５３，５４と段差部材５１，５２の上面との間に隙間を設けるのは、ローラ５３，５４も原稿Ｐｓの最大幅に対応した長さを持つことになることから、軸５５，５６の両端間の取り付け誤差等を許容するためである。
【００３２】
ローラ５３，５４は、原稿Ｐｓの押さえ部材としての機能を持つとともに、軸５５，５６が原稿送り部１９（図１参照）の送り動作と連動して回転することによって原稿Ｐｓに搬送力を付与する原稿送り手段としての機能をも併せ持っている。したがって、これらローラ５３，５４は、原稿Ｐｓとの間の摩擦係数が、段差部材５１，５２と原稿Ｐｓとの間の摩擦係数よりも大きくなるように、ゴム等の粘性弾性体によって形成されている。
【００３３】
上記段差部材５１とローラ５３および段差部材５２とローラ５４は、読取ガラス１２上を通過中の原稿Ｐｓの走行状態を、少なくとも読取位置Ｒ上において、読取ガラス１２の上面、即ち読取基準面Ｓに対して所定の間隔、具体的には段差部材５１，５２の厚み分の間隔をもって読取基準面Ｓとほぼ平行になるように規制する原稿規制手段を構成している。
【００３４】
次に、上記構成の原稿読取部１０の作用について、図３〜図５の状態図を用いて説明する。
【００３５】
図３に、原稿読取開始直前の状態を示す。この読取開始直前の状態では、原稿送り部１９（図１参照）から上流側シュート２３を通して送り込まれた原稿Ｐｓは、その先端がローラ５３に当接することで、ローラ５３の搬送力によって段差部材５１に対して押さえつけられながら下流側に送り込まれる。このとき、原稿Ｐｓの先端部は、段差部材５１とローラ５３との隙間から読取基準面Ｓに対して段差部材５１の高さ分の間隔をもって読取基準面Ｓとほぼ平行に搬送される。
【００３６】
これにより、読取位置Ｒにおいて、原稿Ｐｓの画像の読み取りが確実に行われるため、良好な読取画像が得られる。また、原稿Ｐｓの先端部が読取位置Ｒを通過した後は、段差部材５２の上流側端面５２Ａがテーパー形状であることによって原稿Ｐｓの先端がこのテーパー面の案内によって段差部材５２とのローラ５４との隙間にスムースに導かれるため、下流側の段差部材５２の存在によって原稿Ｐｓの搬送が妨げられることはない。
【００３７】
図４に、原稿中央部の読み取り中の状態を示す。この中央部の読み取り状態では、原稿Ｐｓは段差部材５１とローラ５３および段差部材５２とローラ５４によって、読取基準面Ｓに対して段差部材５１，５２の高さ分の間隔をもって読取基準面Ｓとほぼ平行になるように規制されつつ搬送される。したがって、読取開始直前の状態に引き続いて良好な読取画像が得られる。
【００３８】
図５に、原稿Ｐｓの後端部が段差部材５１を通過した直後の状態を示す。この段差部材５１を通過した直後の状態では、原稿Ｐｓは段差部材５２とローラ５４とによって規制されつつ搬送される。したがって、既に下流へ導かれた原稿Ｐｓの湾曲部（ローラ５４の部分）の影響、即ち当該湾曲部が元に戻ろうとする力の影響を受けることなく、原稿Ｐｓの後端部が読取基準面Ｓに対して段差部材５２の高さ分の間隔をもって読取基準面Ｓとほぼ平行に搬送されるため、原稿Ｐｓの後端部においても引き続き良好な読取画像が得られる。
【００３９】
上述したように、読取センサ１５を含む読取光学系を固定する一方、原稿Ｐｓを移動させながらその画像を読み取るＣＶＴ方式の原稿読取装置において、読取ガラス１２上を通過中の原稿Ｐｓを、読取ガラス１２の上面、即ち読取基準面Ｓに対して所定の間隙をもってほぼ平行となるように規制しつつ搬送するようにしたことにより、修正液やボールペンのインク等が未定着のまま原稿Ｐｓがセットされ、読取起動がかけられてしまった場合であっても、当該未定着材料で読取基準面Ｓを汚すことがないとともに、読取画像に乱れを生じさせることなく原稿画像を読み取ることが可能となる。
【００４０】
また、読取位置Ｒ上において原稿Ｐｓの高さ位置が変化しないことにより、読取光学系の焦点距離が変化することもないため、良好な読取画像を得ることができ、特に高速カラー原稿読取装置においてその画像入力部として用いた場合にその効果が極めて大きい。何故ならば、高速カラー原稿読取装置においては、読取センサ１５として３ラインあるいは４ラインのＣＣＤラインセンサ（リニアセンサ）が用いられることから、読取光学系の焦点距離が変化する際に、同じ読取位置に対して焦点距離が各ライン間で異なり、その読取画像の画質を大きく左右することになるからである。
【００４１】
さらに、原稿Ｐｓの高さ位置を規制する手段として上面が略同一面となる段差部材５１，５２を用いるとともに、これら段差部材５１，５２に対して原稿Ｐｓを押さえつける原稿押さえ部材としてローラ５３，５４を用いたことにより、原稿Ｐｓを確実に読取基準面Ｓとほぼ平行となるように規制できるとともに、原稿押さえ部材が原稿送り手段（ローラ５３，５４）としての機能を併せ持つことによって良好な原稿走行性を確保できることになる。
【００４２】
なお、上記実施形態では、段差部材５１，５２に対して原稿Ｐｓを押さえつける原稿押さえ部材としてローラ５３，５４を用いるとしたが、これに限られるものではなく、図６に示すように、段差部材５１，５２の上面との間に０．３ｍｍ程度の隙間をもって配置されたガイド部材５７を用いることも可能である。ただし、良好な原稿走行性を確保する観点からは、原稿Ｐｓに対して搬送力を付与できるローラ５３，５４を用いる方が好ましい。
【００４３】
さらには、段差部材５１，５２の一方側にローラを、他方側にガイド部材をそれぞれ配置する構成を採ることも可能である。例えば、図７に示すように、段差部材５１側に当該段差部材５１の上面との間に０．３ｍｍ程度の隙間をもってガイド部材５８を配置する一方、段差部材５２側にローラ５４を配置する構成が考えられる。
【００４４】
【発明の効果】
以上説明したように、本発明によれば、ＣＶＴ方式の原稿読取装置において、通過中の原稿の走行状態を、透過性部材の上面（読取基準面）に対して所定の間隙をもって当該原稿基準面とほぼ平行となるように規制しつつ搬送するようにすることで、修正液やボールペンのインク等が未定着のまま原稿がセットされ、読取起動がかけられたとしても、当該未定着材料で読取基準面を汚すことがないとともに、読取画像に乱れを生じさせることなく原稿画像を良好に読み取ることが可能となる。しかも、原稿の高さを規制する手段として、一対の段差部材を用いるとともに、これら段差部材に対して原稿を押さえつける手段として一対のローラを用いることで、原稿を確実に読取基準面とほぼ平行になるように規制できるとともに、一対のローラが原稿送り手段としての機能を併せ持つことによって良好な原稿走行性を確保できる。
【図面の簡単な説明】
【図１】  本発明に係る原稿読取装置を画像入力部として搭載したデジタル複写機の構成例を示す概略構成図である。
【図２】  原稿読取部の具体的な構成例を示す構成図である。
【図３】  原稿読取部の作用の説明に供する原稿読取開始直前の状態図である。
【図４】  原稿読取部の作用の説明に供する原稿中央部の読み取り中の状態図である。
【図５】  原稿読取部の作用の説明に供する原稿後端部が段差部材を通過した直後の状態図である。
【図６】  原稿読取部の変形例を示す構成図である。
【図７】  原稿読取部の他の変形例を示す構成図である。
【図８】  従来例に係る原稿読取装置を示す構成図である。
【符号の説明】
１０…原稿読取部、１１…プラテンガラス、１２…読取ガラス、１５…読取センサ、１９…原稿送り部、２０…画像処理部、３０…画像形成部、３２…トナー転写部、３３…定着器、３６…感光体ドラム、５１，５２…段差部材、５３，５４…ローラ、５７，５８…ガイド部材、Ｒ…読取位置、Ｓ…読取基準面
【図１】
0003818105.tif 000002
【図２】
0003818105.tif 000003
【図３】
0003818105.tif 000004
【図４】
0003818105.tif 000005
【図５】
0003818105.tif 000006
【図６】
0003818105.tif 000007
【図７】
0003818105.tif 000008
【図８】
0003818105.tif 000009